(57)【要約】【課題】使用者の操作を容易化することである。【解決手段】画像形成装置１において、第１の通信方式であるＮＦＣ通信により携帯情報端末２からカード情報が読取られたことに基づいて課金処理が開始され、その後、携帯情報端末２と画像形成装置１と間で第２の通信方式であるブルートゥース通信の通信状態が確認され、ブルートゥース通信状態であることを条件として、１枚の印刷が実行されるごとに課金サーバ３において課金処理が実行される。【選択図】図２
2019009519.tif 000002
【特許請求の範囲】
【請求項１】
携帯情報端末と画像形成装置との間で通信が可能なネットワークシステムであって、
前記画像形成装置での画像形成に応じて課金処理をする課金処理手段を含み、
前記画像形成装置は、
第１の通信方式で通信をする第１の通信手段と、
第２の通信方式で通信をする第２の通信手段と、
カード情報を読取る情報読取り手段とを含み、
前記携帯情報端末は、
前記第１の通信方式で通信をする第１の端末通信手段と、
前記第２の通信方式で通信をする第２の端末通信手段と、
カードエミュレーション機能で動作させるカードエミュレーション手段とを含み、
前記情報読取り手段は、前記第１の通信手段と前記第１の端末通信手段とによる前記第１の通信方式で前記携帯情報端末と通信がされたことに応じて、前記カードエミュレーション機能でカードエミュレーションしたカードのカード情報を前記携帯情報端末から読取り、
前記課金処理手段は、前記情報読取り手段により前記携帯情報端末のカード情報が読取られたことに応じて前記課金処理を開始し、前記携帯情報端末と前記画像形成装置との間において、前記第２の端末通信手段と前記第２の通信手段とによる前記第２の通信方式で通信がされていることを条件として、前記課金処理を実行する、ネットワークシステム。
【請求項２】
前記携帯情報端末と前記画像形成装置との間において、前記第２の通信方式で通信がされていることを条件として、前記画像形成装置において画像形成がされるごとに、前記課金処理が順次実行される、請求項１に記載のネットワークシステム。
【請求項３】
前記携帯情報端末と前記画像形成装置との間において、前記第２の通信方式で通信がされなくなったことを条件として、前記画像形成装置における画像形成が中止され、前記課金処理が中止される、請求項２に記載のネットワークシステム。
【請求項４】
前記携帯情報端末と前記画像形成装置との間において、前記第２の通信方式で通信がされなくなったことを条件として、前記画像形成装置における画像形成が中止され、前記第２の通信方式で通信がされているときにされた画像形成について、前記課金処理がまとめて実行される、請求項１に記載のネットワークシステム。
【請求項５】
前記携帯情報端末と前記画像形成装置との間において、前記第２の通信方式で通信がされなくなったときでも前記画像形成装置における画像形成を継続させるとともに、前記課金処理を実行可能とさせるための操作が可能な継続操作手段をさらに含む、請求項１から請求項４のいずれかに記載のネットワークシステム。
【請求項６】
前記画像形成装置における画像形成と前記課金処理とを中止させるための操作が可能な中止操作手段をさらに含む、請求項１から請求項５のいずれかに記載のネットワークシステム。
【請求項７】
前記携帯情報端末と前記画像形成装置との間において、前記第２の通信方式で通信がされなくなったときにおいて、前記画像形成装置における画像形成がされなくなることを報知可能な報知手段をさらに含む、請求項１から請求項６のいずれかに記載のネットワークシステム。
【請求項８】
前記携帯情報端末と前記画像形成装置との間において、前記第２の通信方式で通信がされなくなったときでも所定期間内に前記第２の通信方式で通信が再開されたことを条件として、前記画像形成装置における画像形成を継続させるとともに、前記課金処理を実行可能とする非通信状態対応手段をさらに含む、請求項１に記載のネットワークシステム。
【請求項９】
前記画像形成装置は、前記第２の端末通信手段と、前記カードエミュレーション手段とが、同一の携帯情報端末に含まれているか否かを確認する確認手段をさらに含む、請求項１から８のいずれかに記載のネットワークシステム。
【請求項１０】
携帯情報端末との通信が可能であり、画像形成に応じて課金処理が可能とされる画像形成装置であって、
第１の通信方式で通信をする第１の通信手段と、
第２の通信方式で通信をする第２の通信手段と、
カード情報を読取る情報読取り手段とを含み、
前記情報読取り手段は、前記第１の通信手段による前記第１の通信方式で前記携帯情報端末と通信がされたことに応じて、前記携帯情報端末においてカードエミュレーション機能でカードエミュレーションされたカードのカード情報を読取り、
前記情報読取り手段により前記携帯情報端末のカード情報が読取られたことに応じて前記課金処理の開始が可能となり、
前記第２の通信手段による前記第２の通信方式で前記携帯情報端末と通信がされていることを条件として、前記課金処理を実行可能とする、画像形成装置。
【請求項１１】
携帯情報端末との通信が可能であり、画像形成に応じて課金処理が可能とされる画像形成装置で実行される情報処理プログラムであって、
第１の通信方式で前記携帯情報端末と通信するステップと、
前記携帯情報端末においてカードエミュレーション機能でカードエミュレーションされたカードのカード情報を読取るステップと、
前記カード情報が読取られたことに応じて前記課金処理の開始を可能とするステップと、
第２の通信方式で前記携帯情報端末と通信するステップと、
前記第２の通信方式で前記携帯情報端末と通信がされていることを条件として、前記課金処理を実行可能とするステップとを実行する、情報処理プログラム。
【請求項１２】
画像形成に応じて課金処理が可能とされる画像形成装置と通信が可能な携帯情報端末であって、
第１の通信方式で通信をする第１の端末通信手段と、
第２の通信方式で通信をする第２の端末通信手段と、
カードエミュレーション機能で動作させるカードエミュレーション手段とを含み、
前記カードエミュレーション手段は、前記第１の端末通信手段による前記第１の通信方式で前記画像形成装置と通信がされたことに応じて、前記カードエミュレーション機能でカードエミュレーションしたカードのカード情報が前記画像形成装置に読取られ、
前記カードエミュレーション機能でエミュレーションしたカードのカード情報が読取られたことに応じて前記課金処理が開始され、
前記第２の端末通信手段による前記第２の通信方式で前記画像形成装置と通信することにより、前記第２の通信方式で前記画像形成装置と通信がされていることを条件として、前記課金処理が実行可能とされる、携帯情報端末。
【請求項１３】
画像形成に応じて課金処理が可能とされる画像形成装置と通信が可能な携帯情報端末で実行される情報処理プログラムであって、
第１の通信方式で通信をするステップと、
第２の通信方式で通信をするステップと、
カードエミュレーション機能で動作させるステップとを含み、
前記カードエミュレーション機能で動作させるステップは、前記第１の通信方式で前記画像形成装置と通信がされたことに応じて、前記カードエミュレーション機能でカードエミュレーションしたカードのカード情報が前記画像形成装置に読取られるステップを含み、
前記カードエミュレーション機能でエミュレーションしたカードのカード情報が読取られたことに応じて前記課金処理が開始され、
前記第２の通信方式で通信をするステップによって前記画像形成装置と通信することにより、前記第２の通信方式で前記画像形成装置と通信がされていることを条件として、前記課金処理が実行可能とされる、情報処理プログラム。
【発明の詳細な説明】
【技術分野】
【０００１】
この開示はネットワークシステム、画像形成装置、情報処理プログラム、および、携帯情報端末に関する。
【背景技術】
【０００２】
コンビニエンスストア等の店舗、または、公共施設等に設置されたＭＦＰ（Multi-Functional  Peripheral）等の画像形成装置を使用して、有料でコピー機能またはプリンタ機能等により印刷をするときに用いる決済手段として、電子マネーによる決済を用いる場合がある。電子マネーによる決済は、ＩＣカード等のカード情報等を用いて行なわれるため、現金の支払いを用いる決済と比べて使用者の操作が簡単であるため、今後も活用場面と使用機会とが広がっていくと思われる。
【０００３】
このような電子マネーを用いて決済をする画像形成装置としては、一度の印刷時において、カード情報を読取らせる操作を使用者が複数しなければならないものがあった（特許文献１，２）。たとえば、画像形成装置での印刷前に、課金予定額が設定され、使用者によりタッチ操作等のカード情報を読取らせる１回目の操作がされると課金処理等がされる。そして、印刷実行後に、再度使用者によりタッチ操作等のカード情報を読取らせる２回目の操作がされたことに応じて、課金予定額との差額の表示および不足金額の課金処理等がされる。
【先行技術文献】
【特許文献】
【０００４】
【特許文献１】特開２００６−５８５６６号公報
【特許文献２】特開２００７−２９９２９３号公報
【発明の概要】
【発明が解決しようとする課題】
【０００５】
しかし、前述のような課金処理をする従来の画像形成装置では、一度の印刷時においてカード情報を複数回読取らせることが必要であり、使用者の操作を煩雑化させるという問題があった。
【０００６】
本開示は、係る実情に鑑み考え出されたものであり、その目的は、使用者の操作を容易化することである。
【課題を解決するための手段】
【０００７】
本開示のある局面に従うと、携帯情報端末と画像形成装置との間で通信が可能なネットワークシステムであって、画像形成装置での画像形成に応じて課金処理をする課金処理手段を含み、画像形成装置は、第１の通信方式で通信をする第１の通信手段と、第２の通信方式で通信をする第２の通信手段と、カード情報を読取る情報読取り手段とを含み、携帯情報端末は、第１の通信方式で通信をする第１の端末通信手段と、第２の通信方式で通信をする第２の端末通信手段と、カードエミュレーション機能で動作させるカードエミュレーション手段とを含み、情報読取り手段は、第１の通信手段と第１の端末通信手段とによる第１の通信方式で携帯情報端末と通信がされたことに応じて、カードエミュレーション機能でカードエミュレーションしたカードのカード情報を携帯情報端末から読取り、課金処理手段は、情報読取り手段により携帯情報端末のカード情報が読取られたことに応じて課金処理を開始し、携帯情報端末と画像形成装置との間において、第２の端末通信手段と第２の通信手段とによる第２の通信方式で通信がされていることを条件として、課金処理を実行する。
【０００８】
ネットワークシステムは、携帯情報端末と画像形成装置との間において、第２の通信方式で通信がされていることを条件として、画像形成装置において画像形成がされるごとに、課金処理が順次実行されるように構成されてもよい。
【０００９】
ネットワークシステムは、携帯情報端末と画像形成装置との間において、第２の通信方式で通信がされなくなったことを条件として、画像形成装置における画像形成が中止され、課金処理が中止されるように構成されてもよい。
【００１０】
ネットワークシステムは、携帯情報端末と画像形成装置との間において、第２の通信方式で通信がされなくなったことを条件として、画像形成装置における画像形成が中止され、第２の通信方式で通信がされているときにされた画像形成について、課金処理がまとめて実行されるように構成されてもよい。
【００１１】
ネットワークシステムは、携帯情報端末と画像形成装置との間において、第２の通信方式で通信がされなくなったときでも画像形成装置における画像形成を継続させるとともに、課金処理を実行可能とさせるための操作が可能な継続操作手段をさらに含むように構成されてもよい。
【００１２】
ネットワークシステムは、画像形成装置における画像形成と課金処理とを中止させるための操作が可能な中止操作手段をさらに含むように構成されてもよい。
【００１３】
ネットワークシステムは、携帯情報端末と画像形成装置との間において、第２の通信方式で通信がされなくなったときにおいて、画像形成装置における画像形成がされなくなることを報知可能な報知手段をさらに含むように構成されてもよい。
【００１４】
ネットワークシステムは、携帯情報端末と画像形成装置との間において、第２の通信方式で通信がされなくなったときでも所定期間内に第２の通信方式で通信が再開されたことを条件として、画像形成装置における画像形成を継続させるとともに、課金処理を実行可能とする非通信状態対応手段をさらに含むように構成されてもよい。
【００１５】
ネットワークシステムは、画像形成装置が、第２の端末通信手段と、カードエミュレーション手段とが、同一の携帯情報端末に含まれているか否かを確認する確認手段をさらに含むように構成されてもよい。
【００１６】
本開示の他の局面に従うと、携帯情報端末との通信が可能であり、画像形成に応じて課金処理が可能とされる画像形成装置であって、第１の通信方式で通信をする第１の通信手段と、第２の通信方式で通信をする第２の通信手段と、カード情報を読取る情報読取り手段とを含み、情報読取り手段は、第１の通信手段による第１の通信方式で携帯情報端末と通信がされたことに応じて、携帯情報端末においてカードエミュレーション機能でカードエミュレーションされたカードのカード情報を読取り、情報読取り手段により携帯情報端末のカード情報が読取られたことに応じて課金処理の開始が可能となり、第２の通信手段による第２の通信方式で携帯情報端末と通信がされていることを条件として、課金処理を実行可能とする。
【００１７】
本開示の他の局面に従うと、携帯情報端末との通信が可能であり、画像形成に応じて課金処理が可能とされる画像形成装置で実行される情報処理プログラムであって、第１の通信方式で携帯情報端末と通信するステップと、携帯情報端末においてカードエミュレーション機能でカードエミュレーションされたカードのカード情報を読取るステップと、カード情報が読取られたことに応じて課金処理の開始を可能とするステップと、第２の通信方式で携帯情報端末と通信するステップと、第２の通信方式で携帯情報端末と通信がされていることを条件として、課金処理を実行可能とするステップとを実行する。
【００１８】
本開示の他の局面に従うと、画像形成に応じて課金処理が可能とされる画像形成装置と通信が可能な携帯情報端末であって、第１の通信方式で通信をする第１の端末通信手段と、第２の通信方式で通信をする第２の端末通信手段と、カードエミュレーション機能で動作させるカードエミュレーション手段とを含み、カードエミュレーション手段は、第１の端末通信手段による第１の通信方式で画像形成装置と通信がされたことに応じて、カードエミュレーション機能でカードエミュレーションしたカードのカード情報が画像形成装置に読取られ、カードエミュレーション機能でエミュレーションしたカードのカード情報が読取られたことに応じて課金処理が開始され、第２の端末通信手段による第２の通信方式で画像形成装置と通信することにより、第２の通信方式で画像形成装置と通信がされていることを条件として、課金処理が実行可能とされる。
【００１９】
本開示の他の局面に従うと、画像形成に応じて課金処理が可能とされる画像形成装置と通信が可能な携帯情報端末で実行される情報処理プログラムであって、第１の通信方式で通信をするステップと、第２の通信方式で通信をするステップと、カードエミュレーション機能で動作させるステップとを含み、カードエミュレーション機能で動作させるステップは、第１の通信方式で画像形成装置と通信がされたことに応じて、カードエミュレーション機能でカードエミュレーションしたカードのカード情報が画像形成装置に読取られるステップを含み、カードエミュレーション機能でエミュレーションしたカードのカード情報が読取られたことに応じて課金処理が開始され、第２の通信方式で通信をするステップによって画像形成装置と通信することにより、第２の通信方式で画像形成装置と通信がされていることを条件として、課金処理が実行可能とされる。
【発明の効果】
【００２０】
本開示によれば、一度の印刷時においてカード情報を１回読取らせれば課金処理が完了することが可能となり、使用者の操作を容易化することができる。
【図面の簡単な説明】
【００２１】
【図１】ネットワームシステムの構成を示す図である。
【図２】携帯情報端末を用いて画像形成装置で有料の画像形成をするときの課金処理等の各種情報処理の流れを示すフローチャートである。
【図３】画像形成装置１における印刷中に表示部において表示される画面図の一例である。
【発明を実施するための形態】
【００２２】
以下に、図面を参照しつつ、ネットワークシステムの実施の形態について説明する。以下の説明では、同一の部品および構成要素には同一の符号を付してある。それらの名称および機能も同じである。したがって、これらの説明は繰り返さない。
【００２３】
［ネットワークシステムの構成概要］
図１は、通信システムであるネットワームシステム１０の構成を示す図である。図１に示すように、ネットワークシステム１０では、端末である携帯端末２と、携帯端末２と通信可能な画像形成装置１と、画像形成装置１と通信可能な課金サーバ３とを含む。
【００２４】
画像形成装置１と携帯端末２とは、各種の近距離無線通信技術を用いて互いに通信を行う。たとえば、画像形成装置１と携帯端末２との間では、近距離無線通信として、ＮＦＣ（Near  Field  Communication）規格に基づく通信（以下、ＮＦＣ通信という）と、Bluetooth（登録商標）規格に基づく通信（以下、ブルートゥース通信という）とが用いられる。
【００２５】
［画像形成装置の構成］
画像形成装置１としては、画像形成装置１は、スキャン機能、コピー機能、プリンタ機能、ファクシミリ機能およびボックス格納機能等を備える複合機であるＭＦＰ（マルチ・ファンクション・ペリフェラル（Multi-Functional  Peripheral））が例示されている。画像形成装置１は、画像読取部１１、印刷出力部１２、通信部１３、操作部１４、記憶部１５、およびコントローラ（制御部）１６等を備えており、これらの各部を複合的に動作させることによって、各種の機能を実現する。
【００２６】
画像読取部１１は、画像形成装置１の所定の位置に載置された原稿を光学的に読み取って（すなわちスキャンして）、当該原稿の画像データ（原稿画像あるいはスキャン画像とも称する）を生成する処理部である。この画像読取部１１は、スキャン部であるとも称される。印刷出力部１２は、印刷対象に関するデータに基づいて紙等の各種の媒体に画像を印刷出力する処理部である。
【００２７】
通信部１３は、公衆回線（インターネットを含む）等を介したファクシミリ通信およびデータ通信を行うことが可能な処理部である。また、通信部１３は、ＮＦＣ通信およびブルートゥース通信のような近距離無線通信を含む各種の無線通信（無線ＬＡＮによる無線通信等も含む）を行うことも可能である。さらに、通信部１３は、有線ＬＡＮ等による有線通信を行なうことも可能である。
【００２８】
通信部１３は、ＮＦＣ通信部１３１、ブルートゥース通信部１３２、カードリーダ部１３３、および、外部通信部１３４を含む。ＮＦＣ通信部１３１では、携帯情報端末２等との間でＮＦＣ通信を用いたネットワーク通信が行なわれる。ＮＦＣ通信部１３１により実行されるＮＦＣ通信では、携帯情報端末でのカードエミュレーション機能に基づくカード情報が、ＮＦＣ通信部１３１で受信され、カードリーダ部１３３により読取られる。ブルートゥース通信部１３２では、携帯情報端末２等との間でブルートゥース通信を用いたネットワーク通信が行なわれる。ブルートゥース通信部１３２により実行されるブルートゥース通信は、コピー動作およびプリンタ動作等に伴なう印刷等の画像形成装置１での画像形成に応じた課金処理を継続して実行するための条件として用いられる。
【００２９】
外部通信部１３４は、無線ＬＡＮ、有線ＬＡＮ等のＬＡＮまたはインターネット等の外部通信回線により、画像形成装置１が設置された場所の外部に設けられた課金サーバ３と通信可能に接続されている。外部通信部１３４は、画像形成装置１で画像形成が行なわれるときに、カードリーダ部１３３により読取られたカード情報および画像形成装置１での画像形成に応じた課金情報を課金サーバ３に送信する。
【００３０】
記憶部１５は、ハードディスクドライブ（ＨＤＤ）等の記憶装置で構成される。
操作部１４は、画像形成装置１に対する操作入力を受け付ける操作入力部１４１と、各種情報の表示出力を行う表示部１４２とを備える。
【００３１】
画像形成装置１においては、略板状の操作パネル部が設けられている。また、操作パネル部は、その正面側にタッチパネルを有している。タッチパネルは、操作入力部１４１の一部としても機能するとともに、表示部１４２の一部としても機能する。タッチパネルは、液晶表示パネルに各種センサ等が埋め込まれて構成され、各種情報を表示するとともに操作者からの各種の操作入力を受け付けることが可能である。
【００３２】
コントローラ（制御部）１６は、画像形成装置１に内蔵され、画像形成装置１を統括的に制御する制御装置である。コントローラ１６は、ＣＰＵおよび各種の半導体メモリ（ＲＡＭおよびＲＯＭ）等を備えるコンピュータシステムとして構成される。コントローラ１６は、ＣＰＵにおいて、ＲＯＭ等に格納されているソフトウエアプログラムである情報処理プログラム（以下、単にプログラムとも称する）を実行することによって、各種の処理部を実現する。なお、当該プログラム（詳細にはプログラムモジュール群）は、ＵＳＢメモリ等の可搬性の記録媒体に記録され、当該記録媒体を介して画像形成装置１にインストールされているようにしてもよい。あるいは、当該プログラムは、ネットワーク等を経由してダウンロードされて画像形成装置１にインストールされるようにしてもよい。
【００３３】
コントローラ１６は、当該プログラムの実行により、通信制御部と入力制御部と表示制御部とを含む各種の処理部を実現する。通信制御部は、他の装置（携帯情報端末２等）との間の通信動作を通信部１３等と協働して制御する処理部である。通信制御部は、各種データの送信動作を制御する送信制御部と各種データの受信動作を制御する受信制御部とを有する。また、通信制御部は、通信部１３と協働して、接続元装置とのペアリング動作等をも制御する。
【００３４】
入力制御部は、操作入力部１４１（タッチパネル等）に対する操作入力動作を制御する制御部である。たとえば、入力制御部１２は、タッチパネルに表示された操作画面に対する操作入力を受け付ける動作を制御する。
【００３５】
表示制御部は、表示部１４２（タッチパネル等）における表示動作を制御する処理部である。表示制御部は、画像形成装置１を操作するための操作画面等をタッチパネル２５に表示させる。
【００３６】
［携帯情報端末の構成］
携帯情報端末２は、画像形成装置１との間でのネットワーク通信が可能な情報入出力端末装置（情報端末）である。携帯情報端末２としては、スマートフォンを例示する。なお、携帯情報端末２は、タブレット型端末等であってもよい。
【００３７】
携帯情報端末２は、通信部２１、記憶部２３、操作部２２およびコントローラ（制御部）２４等を備えており、これらの各部を複合的に動作させることによって、各種の機能を実現する。
【００３８】
通信部２１は、携帯電話の通信機能（図示省略）に加えて、画像形成装置１の通信部１３と同様に、ＮＦＣ通信およびブルートゥース通信のような近距離無線通信を含む各種の無線通信（無線ＬＡＮによる無線通信等も含む）を行うことも可能である。さらに、通信部１３は、有線ＬＡＮ等による有線通信を行なうことも可能である。
【００３９】
通信部２１は、ＮＦＣ通信部２１１、ブルートゥース通信部２１２、および、カードエミュレーション部２１３を含む。ＮＦＣ通信部２１１では、画像形成装置１等との間でＮＦＣ通信部を用いたネットワーク通信が行なわれる。カードエミュレーション部２１３では、携帯情報端末２の所有者が持つ電子マネーを使用可能なＩＣカード等のような、カード決済が可能なカードをエミュレーションすることにより、携帯情報端末２のＮＦＣ機能を用いて、携帯情報端末２の機能によりカード決済ができるようにするカードエミュレーション処理を実行する。具体的に、カードエミュレーション部２１３は、ハードウェア回路で構成されている。なお、カードエミュレーション部２１３は、コントローラ２４のＣＰＵにより構成されてもよい。また、カードエミュレーション部２１３は、セキュリティの観点からはハードウェア回路で構成されることが望ましい。
【００４０】
ＮＦＣ通信部２１１により実行されるＮＦＣ通信では、カードエミュレーション部２１３でのカードエミュレーション機能に基づくカード情報が、画像形成装置１のＮＦＣ通信部１３１に向けて送信される。ブルートゥース通信部２１２では、画像形成装置１のブルートゥース通信部１３２等との間でブルートゥース通信を用いたネットワーク通信が行なわれる。
【００４１】
記憶部２３は、不揮発性の半導体メモリ等の記憶装置で構成される。記憶部２３には、コントローラ２４で実行する制御プログラム（アプリケーションプログラム等）や、各種画面（詳細にはその表示用データ）が格納されている。さらに、記憶部２３には、ブルートゥース通信における接続先候補の画像形成装置１（接続候補装置）と通信を行う優先順位の設定情報も格納されている。
【００４２】
操作部２２は、携帯情報端末２に対する操作入力を受け付ける操作入力部２２１と、各種情報の表示出力を行う表示部２２２とを備える。携帯情報端末２においては、液晶表示パネルに各種センサ等が埋め込まれて構成されたタッチパネルが設けられている。タッチパネルは、操作入力部２２１の一部としても機能するとともに、表示部２２２の一部としても機能する。
【００４３】
コントローラ（制御部）２４は、携帯情報端末２に内蔵され、携帯情報端末２を統括的に制御する制御装置である。コントローラ２４は、ＣＰＵおよび各種の半導体メモリ（ＲＡＭおよびＲＯＭ）等を備えるコンピュータシステムとして構成される。コントローラ２４は、ＣＰＵにおいて、記憶部２３や記憶部（半導体メモリ等）内に格納されている所定のソフトウエアプログラムである情報処理プログラム（以下、単にプログラムとも称する）を実行することによって、各種の処理部を実現する。なお、当該プログラム（詳細にはプログラムモジュール群）は、ＵＳＢメモリ等の可搬性の記録媒体に記録され、当該記録媒体を介して携帯情報端末２にインストールされるようにしてもよい。あるいは、当該プログラムは、ネットワーク等を経由してダウンロードされて携帯情報端末２にインストールされるようにしてもよい。
【００４４】
具体的には、コントローラ２４は、当該プログラムの実行により、通信制御部と入力制御部と表示制御部と検出部と設定部と決定部とを含む各種の処理部を実現する。
【００４５】
通信制御部は、通信部２１等と協働して、画像形成装置１等との通信動作を制御する。また、通信制御部は、接続先装置とのペアリング動作等をも制御する。
【００４６】
入力制御部は、操作入力部２２１（タッチパネル等）に対する操作入力動作等を制御する。表示制御部は、表示部（タッチパネル等）における各種情報の表示動作を制御する。
【００４７】
［課金サーバの構成］
課金サーバ３は、サーバ機能を有するコンピュータ等よりなる情報処理装置であり、画像形成装置１が設置された場所の外部に設けられる。課金サーバ３は、無線ＬＡＮ、有線ＬＡＮ等のＬＡＮまたはインターネット等の通信ネットワークにより、画像形成装置１と情報通信が可能な態様で設けられている。
【００４８】
なお、課金サーバ３は、画像形成装置１が設置された場所の近傍に設けられてもよく、当該場所からは離隔した場所に設けられたデータセンタ等の外部施設に設けられてもよい。課金サーバ３は、複数の画像形成装置１に対応するサーバとして設けられてもよく、１つの画像形成装置１に対応するサーバとして設けられてもよい。
【００４９】
課金サーバ３は、通信部３１、課金処理部３２、記憶部３３、および、コントローラ３４を含む。通信部３１は、前述のような通信ネットワークを通じ、外部通信部１３４と接続可能に構成されている。これにより、画像形成装置１と課金サーバ３との間でネットワーク通信が行なわれる。さらに、通信部３１は、その他の通信ネットワークを通じ、電子マネー管理会社等のカード情報確認サーバ等に接続可能に構成されている。課金処理部３２は、コントローラ３４により制御され、画像形成装置１でのコピーおよびプリントのような印刷等の画像形成装置の動作に対して課金をする課金処理を実行する。記憶部３３は、ハードディスクドライブ（ＨＤＤ）等の記憶装置で構成される。
【００５０】
課金サーバ３は、コントローラ３４により、通信部３１を介してカード情報を受け取り、電子マネー管理会社等のカード情報確認サーバ等と情報通信をしてカード情報の真偽を確認することが可能である。カード情報の真偽の確認とは、たとえば、カード情報が、電子マネー管理会社に登録されているカードの情報に対応するものであるか否かを確認することにより、カード情報の真偽を確認することである。
【００５１】
コントローラ（制御部）３４は、課金サーバ３を統括的に制御する制御装置である。コントローラ３４は、ＣＰＵおよび各種の半導体メモリ（ＲＡＭおよびＲＯＭ）等を備えるコンピュータシステムとして構成される。コントローラ３４は、ＣＰＵにおいて、ＲＯＭ内に格納されている所定のソフトウエアプログラムである情報処理プログラム（以下、単にプログラムとも称する）を実行することによって、各種の処理部を実現する。なお、当該プログラム（詳細にはプログラムモジュール群）は、ＵＳＢメモリ等の可搬性の記録媒体に記録され、当該記録媒体を介して画像形成装置１にインストールされているようにしてもよい。あるいは、当該プログラムは、ネットワーク等を経由してダウンロードされて課金サーバ３にインストールされるようにしてもよい。
【００５２】
コントローラ３４は、当該プログラムの実行により、通信制御部と課金制御部とを含む各種の処理部を実現する。通信制御部は、他の装置（画像形成装置１等）との間の通信動作を通信部３１等と協働して制御する処理部である。通信制御部は、各種データの送信動作を制御する送信制御部と各種データの受信動作を制御する受信制御部とを有する。
【００５３】
課金制御部は、画像形成装置１での有料のコピー動作およびプリント動作による印刷のような画像形成処理に対する課金処理を制御する制御部である。たとえば、課金制御部は、画像形成装置１で有料のコピー動作による印刷が実行された場合に、コントローラ３４は、携帯情報端末２により設定され、画像形成装置により読取られたカードのカード情報に基づき、当該カードで決済可能な課金処理を行なう。たとえば、画像形成装置１での有料のコピー動作が実行されるときに、画像形成装置１から、携帯帯情報端末２でエミュレートされたカードのカード情報と、画像形成動作の実行による課金情報とを情報通信により取得し、取得したカード情報に基づき、当該カードに対して、取得した課金情報に基づき、印刷が１枚されるごとに課金をする処理を実行する。
【００５４】
［画像形成に基づく課金に関する処理のフローチャート］
次に、図１に示されたネットワークシステム１０において、携帯情報端末２を用いて画像形成装置１で有料の画像形成をするときの課金処理等の各種情報処理の流れについて説明する。
【００５５】
図２は、携帯情報端末２を用いて画像形成装置１で有料の画像形成をするときの課金処理等の各種情報処理の流れを示すフローチャートである。
【００５６】
図２には、画像形成装置１、携帯情報端末２、および、課金サーバ３において実行される処理が関連付けて示される。画像形成装置１において実行される処理は、コントローラ１６のＣＰＵが特定のプログラムを実行することによって実現される。携帯情報端末２において実行される処理は、コントローラ２４のＣＰＵが所定のプログラムを実行することによって実現される。課金サーバ３において実行される処理は、コントローラ３４のＣＰＵが予め定められたプログラムを実行することによって実現される。
【００５７】
画像形成装置１において画像形成を開始するときには、まず、使用者（ユーザ）が、携帯情報端末２の所定位置に設けられたＮＦＣ通信部２１１を、画像形成装置１の特定位置に設けられたＮＦＣ通信部１３１にかざす動作がされたことを条件として（ステップＳ（以下、Ｓと略称する）１）、携帯情報端末２のＮＦＣ通信部２１１と、画像形成装置１のＮＦＣ通信部１３１との間でＮＦＣ通信により相互に情報通信が開始される（Ｓ２，Ｓ３）。
【００５８】
その後、携帯情報端末２のＮＦＣ通信部２１１と、画像形成装置１のＮＦＣ通信部１３１との間で通信が確立する（Ｓ３，Ｓ１２）と、携帯情報端末２では、カードエミュレーション部２１３でのカードエミュレーション機能により得られたカード情報を、ＮＦＣ通信部２１１を介して画像形成装置１に渡す情報通信が実行される（Ｓ４）。そして、画像形成装置１では、ＮＦＣ通信部１３１を介してカード情報を受け取る処理をし（Ｓ１３）、その後、受け取ったカード情報を、外部通信部１３４を介して、課金サーバ３に渡す情報通信が実行される（Ｓ１４）。
【００５９】
そして、課金サーバ３では、通信部３１を介してカード情報を受け取り、電子マネー管理会社等のカード情報確認サーバ等と情報通信をしてカード情報の真偽を確認し、カード情報が真のカードに基づくカード情報であることが確認されたときには、携帯情報端末２から画像形成装置１が取得したカード情報に基づき、対応するカードに対して課金処理を開始する（Ｓ３１）。
【００６０】
次に、携帯情報端末２のブルートゥース通信部２１２においては、ブルートゥース通信による情報通信を開始させる（Ｓ５）。画像形成装置１のブルートゥース通信部１３２においては、ブルートゥース通信による情報通信を開始させるとともにブルートゥース通信を確立させる（Ｓ１５）。これにより、携帯情報端末２と画像形成装置１との間で、ブルートゥース通信が確立され、相互に情報通信が実行された後に、携帯情報端末２と画像形成装置１との間がブルートゥース通信状態であるか否かの確認が行なわれる（Ｓ６，Ｓ１６）。ブルートゥース通信は、近距離無線通信であり、ブルートゥース通信状態は、電波強度が所定強度以上となる所定の通信距離範囲内にペアリングされた通信装置が存在している場合に、ブルートゥース通信状態となる。
【００６１】
このように、携帯情報端末２と画像形成装置１との間がブルートゥース通信状態であることが確認されている間に、画像形成装置１で１枚目の印刷が実行されたときには、１枚目の課金情報が課金サーバ３に送信され（Ｓ１７）、課金サーバ３において、１枚目の印刷についての課金処理が実行される（Ｓ３２）。これにより、携帯情報端末２が画像形成装置１からブルートゥース通信状態となることが可能な所定の通信距離範囲内にある場合にのみ、印刷が実行されて課金処理が実行されることとなる。
【００６２】
なお、携帯情報端末２と画像形成装置１との通信状態が、ブルートゥース通信状態を維持するために最低限必要な特定の電波強度以上のブルートゥース通信状態となるときに印刷が実行されて課金処理が実行されるようにしてもよい。また、携帯情報端末２と画像形成装置１との通信状態が、ブルートゥース通信状態を維持するために最低限必要な特定の電波強度よりも高い、予め定められた電波強度以上のブルートゥース通信状態となるときに印刷が実行されて課金処理が実行されるようにしてもよい。
【００６３】
その後、画像形成装置１での２枚目以降の印刷についても、同様に、携帯情報端末２と画像形成装置１との間がブルートゥース通信状態であることが確認されている間（Ｓ７，Ｓ１８）に実行されると、１枚の印刷ごとの課金情報が課金サーバ３に送信され（Ｓ１９，Ｓ２０）、課金サーバ３において、１枚の印刷ごとの課金処理が実行される（Ｓ３３，Ｓ３４）。
【００６４】
その後、携帯情報端末２と画像形成装置１との間がブルートゥース通信状態であることが確認されている間（Ｓ８，Ｓ２１）に画像形成装置１で最終枚目（Ｎ枚目）の印刷が実行されると、最終枚目の印刷の課金情報が課金サーバ３に送信され（Ｓ２２）、課金サーバ３において、最終枚目の課金処理が実行される（Ｓ３５）。
【００６５】
図２に示すような画像形成に基づく課金に関する処理が実行されれば、携帯情報端末２と画像形成装置１との間がブルートゥース通信状態であることが確認されていることを条件として、画像形成装置１で印刷が実行され、１枚の印刷ごとに課金サーバ３において課金処理が実行される。
【００６６】
つまり、画像形成装置１において、第１の通信方式であるＮＦＣ通信により携帯情報端末２からカード情報が読取られたことに基づいて課金処理が開始され、その後、携帯情報端末２と画像形成装置１と間で第２の通信方式であるブルートゥース通信の通信状態が確認され、ブルートゥース通信状態であることを条件として、１枚の印刷が実行されるごとに課金サーバ３において課金処理が実行される。これにより、用紙のジャムまたは用紙切れ等により予想外の状況により印刷が終了した場合でも、印刷した枚数分だけ課金処理が実行されるので、印刷終了後に再度携帯情報端末２からカード情報を画像形成装置１に再度読取らせて精算をする必要がなくなる。そして、一度の印刷時において携帯情報端末２からカード情報を画像形成装置１に１回読取らせれば、その後、携帯情報端末２からカード情報を再度読取らせることなく課金処理が完了することが可能となることにより、使用者の操作を容易化することができる。
【００６７】
［課金処理のその他の例］
図２では、課金処理として、画像形成装置１で印刷が１枚実行されるごとに課金額をカード決済する処理を説明したが、画像形成装置１で印刷１枚が実行されるごとに課金額を加算しておき、最終的な印刷終了時に合計金額をカード決済する処理を実行してもよい。以下にそのような課金処理の例を説明する。
【００６８】
図２のＳ３２，Ｓ３３，Ｓ３４の処理を実行せず、Ｓ１７，Ｓ１９，Ｓ２０において、画像形成装置１で印刷が１枚実行されるごとに画像形成装置１の記憶部１５に加算してこの合計値金額を更新記憶しておき、Ｓ２２において、最終枚目の印刷のときに、それまでの合計金額の課金情報を課金サーバ３に送信し、課金サーバ３において、Ｓ３５の代わりに、送られてきた合計金額の課金情報をカード決済する処理を実行すればよい。
【００６９】
［画像形成処理および課金処理の中止または継続操作例］
次に、前述したようなネットワークシステム１０で画像形成処理および課金処理を実行する場合における処理の中止操作および継続操作を可能とする例を説明する。
【００７０】
図３は、画像形成装置１における印刷中に表示部１４２において表示される画面図の一例である。図３を参照して、画像形成装置１における印刷中においては、ボタンアイコン画像よりなる継続ボタン６と中止ボタン８とのそれぞれが表示される。
【００７１】
継続ボタン６は、次のような機能を実行するときに操作可能な操作手段である。前述したネットワークシステム１０では、情報携帯端末２を所有した使用者が画像形成装置１から所定距離以上離隔する等、情報携帯端末２と画像形成装置１との間でのブルートゥース通信状態が解消されると、画像形成処理および課金処理が実行されなくなる。このような状況が生じると、使用者の利便性に欠けるので、継続ボタン６を予め操作すれば、情報携帯端末２を所有した使用者が画像形成装置１から所定距離以上離隔する等の事情によりブルートゥース通信状態が解消されても、例外的に、画像形成処理および課金処理が継続して実行されるようにする。
【００７２】
具体的に、画像形成装置１では、印刷の実行中の表示画面において、表示部１４２で「印刷を実行中です。」というような、印刷中を案内する印刷中案内表示４の画像が表示される。そして、印刷実行中の画面において、たとえば、「本機から離れると印刷が停止します。本機から離れている間に印刷の継続を希望する場合は継続ボタンを操作してください。」というような、離隔時に印刷および課金を継続させる操作を案内する継続操作案内表示５の画像が表示されるとともに、その案内で示される継続ボタン６のボタンアイコン画像が表示される。
【００７３】
印刷の実行中に、継続ボタン６が操作されると、画像形成装置１のコントローラ１６では、図２のＳ６，Ｓ１６等で確認しているようなブルートゥース通信状態が維持されなくなった場合でも、画像形成装置１において、画像形成処理（印刷）および課金処理を継続して実行させる制御が行なわれる。このような制御が行なわれれば、使用者が携帯情報端末２を持って画像形成装置１から離隔した場合でも、離隔中に印刷および課金処理が継続されるので、使用者が画像形成装置１から短時間離隔した場合に、離隔中に印刷を完了させることが可能となる等、使用者の利便性を向上させることができる。
【００７４】
中止ボタン８は、次のような機能を実行するときに操作可能な操作手段である。前述したネットワークシステム１０においては、情報携帯端末２を所有した使用者が画像形成装置１で印刷中に、何らかの事情により印刷を中止させる必要が生じた場合には、情報携帯端末２を持った使用者が画像形成装置１から、ブルートゥース通信状態が解消される距離まで離隔することで印刷を中止することが可能である。しかし、印刷の途中で、それまでに印刷された印刷物を受け取って印刷を中止させるために、情報携帯端末２を持った使用者が画像形成装置１から離隔する際に、単に離隔するだけでは、使用者がブルートゥース通信状態が解消される距離まで離隔する間も印刷および課金処理が継続されるので、その間に印刷され、課金処理の対象となった印刷物を使用者が受け取れない場合が生じ得る。
【００７５】
具体的に、図３に示すように、画像形成装置１では、表示部１４２における印刷の実行中の表示画面において、たとえば、「印刷を中止したい場合は中止ボタンを操作してください。」というような、印刷および課金を中止させる操作を案内する中止操作案内表示７の画像が表示されるとともに、その案内で示される中止ボタン８のボタンアイコン画像が表示される。
【００７６】
印刷の実行中に、中止ボタン８が操作されると、画像形成装置１のコントローラ１６では、実行中の印刷および課金処理を強制的に中止させる制御が行なわれる。このような制御が行なわれれば、印刷を中止する際に、課金処理の対象となった印刷物を使用者が全て受けることが可能となり、無駄な印刷および課金処理の実行を防ぐことができる。
【００７７】
［画像形成処理および課金処理の中止事前報知例］
次に、前述したようなネットワークシステム１０で画像形成処理および課金処理を実行する場合における処理の中止事前報知例を説明する。
【００７８】
前述したネットワークシステム１０では、情報携帯端末２を所有した使用者が画像形成装置１から所定距離以上離隔する等、情報携帯端末２と画像形成装置１との間でのブルートゥース通信状態が解消されると、画像形成処理および課金処理が実行されなくなる。使用者によっては、そのような通信の仕組みを把握していない場合もあり、把握していても忘れてしまう場合もある。
【００７９】
そこで、画像形成装置１での印刷中において、ブルートゥース通信状態が維持されなくなる手前の所定の電波強度となっているか否かを画像形成装置１のコントローラ１６が監視し、当該所定の電波強度となったときに、コントローラ１６が、画像形成装置１のブルートゥース通信部１３２から、ブルートゥース通信状態にある情報携帯端末２のブルートゥース通信部２１２に、印刷がされなくなることを報知するためのデータを送信する制御を行なう。このようなデータを受信した情報携帯端末２では、コントローラ２４が、たとえば「これ以上本機から離れると印刷が中止します」というような通知文を示す文字画像を表示する中止事前報知表示を、表示部２２２において実行させる制御を行なう。
【００８０】
このような中止事前報知表示が実行されると、ネットワークシステム１０で印刷を実行するときの通信の仕組みを把握していない使用者、および、そのような仕組みをうっかり忘れた使用者等が、情報携帯端末２を持って必要以上に画像形成装置１から離隔して意図しない印刷中止状態（たとえば、使用者が画像形成装置１から離隔後、戻ってきたときに、予定していた印刷の実行ができていない状態）が発生することを未然に防ぐことができる。
【００８１】
［ブルートゥース通信状態の再開時制御例］
次に、前述したようなネットワークシステム１０で画像形成処理および課金処理を実行する場合におけるブルートゥース通信状態が、印刷中において一旦解消した後、所定期間内に再開されたときに実行する再開時制御例を説明する。
【００８２】
前述したネットワークシステム１０では、情報携帯端末２を所有した使用者が画像形成装置１から所定距離以上離隔する等、情報携帯端末２と画像形成装置１との間でのブルートゥース通信状態が解消されると、画像形成処理および課金処理が実行されなくなる。画像形成装置１での印刷中においては、情報携帯端末２を持った使用者が、何らかの事情で離隔した場合、または、特に事情はないがうっかり離隔した場合において、使用者が意図していないような印刷中止状態となる場合が生じ得る。
【００８３】
そこで、画像形成装置１での印刷中において、画像形成装置１のコントローラ１６は、ブルートゥース通信状態が解消されたときに、画像形成処理および課金処理を一旦中断するが、タイマ等の計時手段により、ブルートゥース通信状態が解消されてからの時間を計時する。そして、コントローラ１６は、その計時中において、ブルートゥース通信状態が解消されたときから所定時間内に、ブルートゥース通信状態が再開された場合には、中断していた画像形成処理を再開して継続させるとともに、課金処理を再開して継続させることにより、中断していた印刷を再開して継続させる制御を行なう。
【００８４】
このようなブルートゥース通信状態の再開時制御が実行されると、ネットワークシステム１０で印刷を実行するときに、情報携帯端末２を持った使用者が何らかの事情により画像形成装置１から短時間離隔したときの救済措置として、画像形成処理および課金処理が再開されて継続されるので、使用者の利便性を向上させることができる。
【００８５】
なお、ブルートゥース通信状態が解消されたときに、画像形成装置１のブルートゥース通信部１３２から、ブルートゥース通信状態にある情報携帯端末２のブルートゥース通信部２１２に、離隔によって印刷が中断されたことを表示する通知をするためのデータを送信して、情報携帯端末２の表示部２２２でそのような通知をする制御を実行し、そのような通知を受けて短時間で画像形成装置１付近に戻ることによりブルートゥース通信状態が再開するような制御を行なうようにしてもよい。その場合には、そのような通知を受けて短時間でブルートゥース通信状態を再開させた使用者に対して、画像形成処理および課金処理の継続という使用者の利便性の面で救済措置を実行することができる。
【００８６】
［通信対象の情報携帯端末確認制御例］
次に、カードエミュレーション機能に基づくカード情報を取得した携帯情報端末と、ブルートゥース通信をする携帯情報端末とが同一の携帯情報端末であることを確認するための通信対象情報携帯端末確認制御例を説明する。
【００８７】
通信対象情報携帯端末確認制御は、次のような通信手順にしたがって、画像形成装置１と、携帯情報端末２との間で、セキュリティ確認用のデータとして用いるキー情報を（鍵情報）相互交換することにより、実行される。
【００８８】
まず、携帯情報端末２のカードエミュレーション機能により得られたカード情報を、ＮＦＣ通信により画像形成装置１に渡す情報通信の開始時において、画像形成装置１のコントローラ１６が、キー情報を生成する処理を行ない、生成したキー情報を記憶部１５に記憶する。キー情報は、生成するタイミングごとに異なる情報となるように生成される。そして、そのように画像形成装置１で生成されたキー情報を、ＮＦＣ通信により画像形成装置１から携帯情報端末２に送信する情報通信を実行する。携帯情報端末２では、そのような情報通信より受信したキー情報を記憶部２３に記憶する。その後、携帯情報端末２と画像形成装置１との間のブルートゥース通信による情報通信の開始時において、携帯情報端末２が、ＮＦＣ通信時に受信して記憶したキー情報を、ブルートゥース通信により携帯情報端末２から画像形成装置１に送信する情報通信を実行する。
【００８９】
画像形成装置１では、そのような情報通信より受信したキー情報を、ＮＦＣ通信開始時に記憶しておいたキー情報と比較することにより、カードエミュレーション機能に基づくカード情報を取得した携帯情報端末と、ブルートゥース通信をする携帯情報端末とが同一の携帯情報端末であることを確認する。具体的に、比較したキー情報が一致するときに、画像形成装置１では、カードエミュレーション機能に基づくカード情報を取得した携帯情報端末と、ブルートゥース通信をする携帯情報端末とが同一の携帯情報端末であると判断し、通信を継続して前述のような画像形成処理および課金処理を実行する。一方、比較したキー情報が異なるときに、画像形成装置１では、カードエミュレーション機能に基づくカード情報を取得した携帯情報端末と、ブルートゥース通信をする携帯情報端末とが同一の携帯情報端末ではないと判断し、通信を切断して前述のような画像形成処理および課金処理を実行しない。
【００９０】
このような通信対象情報携帯端末確認制御を実行することにより、前述したネットワークシステム１０において、画像形成装置１が、カードエミュレーション機能に基づくカード情報を取得した携帯情報端末と、ブルートゥース通信をする携帯情報端末とが同一の携帯情報端末であることを確認できることにより、なりすまし等による不正なブルートゥース通信に基づく、不正な画像形成処理および課金処理の実行を防ぐことができる。
【００９１】
［その他の構成例］
前述した画像形成装置１としては、ＭＦＰを一例として説明したが、これに限らず、コピー機、プリンタ、ファクシミリ等のその他の画像形成装置であってもよい。
【００９２】
前述した画像形成処理および課金処理を実行する条件となる第２の通信方式としては、画像形成装置１としては、ブルートゥース通信を一例として説明したが、ＮＦＣ通信のような第１の通信方式と異なる通信方式であれば、ブルートゥース通信以外の通信方式を用いてもよく、たとえば、Ｗｉ−Ｆｉ通信、および、ＺｉｇＢｅｅ通信等のその他の近距離通信方式を用いてもよい。
【００９３】
前述した携帯情報端末２から画像形成装置１にカード情報を送信する第１の通信方式は、非接触式の通信手段と、接触式の通信手段とのどちらを用いてもよい。
【００９４】
前述した携帯情報端末２としては、スマートフォン等の汎用の携帯情報端末を一例として説明したが、画像形成装置１等の特定の装置を動作させるときにのみに用いる専用の携帯情報端末を用いてもよい。
【００９５】
前述した携帯情報端末２のカードエミュレーション機能によりカードエミュレーションされ、課金処理の対象となるカードは、電子マネーによる決済が可能なカードを一例として説明したが、これに限らず、クレジットカード等のその他の方式のカード決済が可能なカードを用いてもよく、電子マネーによる決済と、その他の方式の決済との両方をすることが可能なカードを用いてもよい。
【００９６】
前述したネットワークシステム１０は、前述したような各種通信、画像形成処理、および、課金処理を実行する情報処理プログラムを組込んだ新たな画像形成装置１、携帯情報端末２、および、課金サーバ３を製造することにより実現されてもよい。また、前述したネットワークシステム１０は、前述したような各種通信、画像形成処理、および、課金処理を実行する情報処理プログラムを、既存の画像形成装置１、携帯情報端末２、および、課金サーバ３のそれぞれにインストールすることにより実現されてもよい。
【００９７】
今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【００９８】
１０  ネットワークシステム、１  画像形成装置、２  携帯情報端末、１３１，２１１  ＮＦＣ通信部、１３２，２１２  ブルートゥース通信部、２１３  カードエミュレーション部、１３３  カードリーダ部、３  課金サーバ。
【図１】
2019009519.tif 000003
【図２】
2019009519.tif 000004
【図３】
2019009519.tif 000005